(57)【要約】【課題】排水ポンプ内の異常と電動機の異常及び点検時期の少なくとも一つを把握できるようにしたことにより、排水ポンプ装置を常に正しい運転状態に保持することを目的とする。【解決手段】本発明の排水ポンプ装置用の電流表示計８は、電動機２に入力される異常電流の時間を計測し、積算時間により表示灯１２が点灯するために、排水ポンプの電動機２にかかっている負荷の状況を把握することができる。これにより、ポンプ装置内の異常と電動機の異常及び点検時期の少なくとも一つが把握することができるので、排水ポンプ装置を常に正しい運転状態に保持することができる。【選択図】図５
2005214062.tif 000002
【特許請求の範囲】
【請求項１】
排水ポンプ装置本体と、前記排水ポンプ装置本体に設けられた電動機と、前記電動機に流れる電流を検出する検出手段と、前記検出手段が検出した電流値を表示する表示手段と、電動機に流れる定格電流値及び基準電流値を設定する設定手段と、前記基準電流値と電動機に現在流れている電流値とを比較する比較手段と、現在流れている電流値が基準電流値を越えた時間を積算する計測手段と、前記計測手段の積算時間が基準電流値を越えた時に点灯する表示灯とを備えた排水ポンプ装置用の電流表示計。
【請求項２】
前記表示灯の点灯によりポンプ装置内の異常と電動機の異常及び点検時期の少なくとも一つを把握できるようにした請求項１記載の排水ポンプ装置用の電流表示計。
【請求項３】
表示灯の点灯と共に警報を鳴らすことによりポンプ装置内の異常と電動機の異常及び点検時期の少なくとも一つを警告するようにした請求項１記載の排水ポンプ装置用の電流表示計。
【請求項４】
表示灯の色を変えることによりポンプ装置内の異常と電動機の異常及び点検時期の少なくとも一つを把握できるようにした請求項１記載の排水ポンプ装置用の電流表示計。
【請求項５】
前記排水ポンプ装置本体を起動した時の大電流を検知することを除外するようにした請求項１記載の排水ポンプ装置用の電流表示計。
【発明の詳細な説明】
【技術分野】
【０００１】
本発明は、上下水道電気設備等に用いられる排水ポンプ装置の電動機に流れる電流を監視するポンプ装置用の電流表示計である。
【背景技術】
【０００２】
従来、上下水道電気設備等にて用いられる排水ポンプの運転管理は、常に正しい運転状態を保持するように保守点検が行われており、点検作業の一つとして電動機に流れる電流を点検することがよく知られている。電動機に流れる電流を表示する方法としては一般的に警報機つきの電流計（例えば、特許文献１）が用いられている。
【０００３】
また、排水ポンプ内のプロペラに異物等が絡み付いたことにより発生する異常電流を検知し、故障を検出する方法については、異常電流の回数をカウントする方法が知られている（例えば、特許文献２）。
【特許文献１】実開昭６０−１５４８７５号公報
【特許文献２】特開昭６０−７３０７５号公報
【発明の開示】
【発明が解決しようとする課題】
【０００４】
しかしながら、前記従来の排水ポンプ装置用の電流表示計では、排水ポンプ内のプロペラに大きい異物等が絡み付いた時に発生する異常電流が数秒間継続した場合については、排水ポンプの点検者が電流計を見ていなければ電動機に負担がかかっていたことに気付くことができなかった。また、排水ポンプ内の電動機は異物等が絡み付くことにより負担がかかるため、電動機の交換時期の目安を早めに知る必要があった。
【０００５】
本発明はこのような従来の課題を解決したもので、ポンプ装置内の異常と電動機の異常及び点検時期の少なくとも一つを把握できるようにしたことにより、排水ポンプ装置を常に正しい運転状態に保持することを目的とする。
【課題を解決するための手段】
【０００６】
本発明は上記目的を達成するために、排水ポンプ装置本体と、前記排水ポンプ装置本体に設けられた電動機と、前記電動機に流れる電流を検出する検出手段と、前記検出手段が検出した電流値を表示する表示部と、電動機に流れる定格電流値及び基準電流値を設定する設定手段と、前記基準電流値と電動機に現在流れている電流値とを比較する比較手段と、現在流れている電流値が基準電流値を越えた時間を積算する計測手段と、前記計測手段の積算時間が基準電流値を越えた時点灯する表示灯とを備えた構成したことにより、排水ポンプの電動機の異常と点検時期の少なくとも一方を把握することができるものである。
【発明の効果】
【０００７】
本発明の排水ポンプ装置用の電流表示計は、電動機に入力される異常電流の時間を計測し、積算時間により表示ランプが点灯するために、排水ポンプの電動機にかかっている負荷の状況を把握することができる。これにより、ポンプ装置内の異常と電動機の点検時期及び異常を把握できるので、排水ポンプ装置を常に正しい運転状態に保持することができる。
【０００８】
また、定格電流値及び基準電流値を任意に設定することができるので、排水ポンプ内の電動機に変更があった場合でも対応することができる。これにより、電流計の交換の手間が省ける。
【０００９】
さらに、定格電流値とは別に基準電流値を設定することにより、電動機が故障する前に電動機を交換する時期が分かる。これにより、排水ポンプ装置を常に正しい運転状態を保持することができる。
【発明を実施するための最良の形態】
【００１０】
本発明の実施の形態は、排水ポンプ装置本体と、前記排水ポンプ装置本体に設けられた電動機と、前記電動機に流れる電流を検出する検出手段と、前記検出手段が検出した電流値を表示する表示部と、電動機に流れる定格電流値及び基準電流値を設定する設定手段と、前記基準電流値と電動機に現在流れている電流値とを比較する比較手段と、現在流れている電流値が基準電流値を越えた時間を積算する計測手段と、前記計測手段の積算時間が基準電流値を越えた時点灯する表示灯とを備えるように構成したものである。
【００１１】
そして、前記表示灯の点灯により電動機の異常と点検時期の少なくとも一方を把握できるように構成したことにより、排水ポンプ装置を常に正しい運転状態に保持することができる。
【００１２】
さらに、表示灯の点灯と共に警報を鳴らすことにより電動機の異常と点検時期の少なくとも一方を警告するようにしたことにより、保安員により警告を促すことができる。
【００１３】
また、表示灯の色を変えることにより電動機の異常と点検時期の少なくとも一方を警告するようにしたことにより、異常の把握と点検時期の把握を区別することができる。
【００１４】
また、前記排水ポンプ装置本体を起動した時の大電流を検知することを除外するようにしたことにより、より正確に異常を把握することができる。
【実施例】
【００１５】
以下本発明の実施例について添付図面を参照して説明する。
【００１６】
（実施例１）
図１において、排水ポンプ装置本体１に連結された電動機２の入力回路には配線用遮断器３および電磁接触器４が設けられており、自動運転装置５は排水ポンプが汲み上げる槽内の液面レベルを設定された範囲内で維持するための通電制御を行なうように構成されている。
【００１７】
電動機２に入力される電流は計器用変流器等によって構成される検出手段６により検出され、変換器７により直流電流に変換されて電流表示計８に出力される。出力された電流値は表示手段９によって表示される。この構成により、表示手段９には電動機２に流れる入力電流値を示すことができる。
【００１８】
比較手段１０は電動機２に現在入力されている電流値と電動機２に入力される定格電流値から導かれる基準電流値とを比較している。電動機２に現在入力されている電流値が基準電流値を越えた場合、比較手段１０は計測手段１１に出力信号を送り、計測手段１１は出力信号が送られている時間を計測する。計測時間は記憶しておき、計測時間の積算が設定された積算時間を越えたとき、計測手段１１は表示灯１２に出力信号を送る。
【００１９】
比較手段１０においての電動機２に入力される基準電流値の設定と、計測手段１１においての積算時間の設定は、設定手段１３によって使用者が設定できるようになっている。
【００２０】
図２において、表示手段９は電動機２に現在入力されている電流値を示す針９ａと基準電流値を示す針９ｂと定格電流値を示す針９ｃとから構成されている。表示灯１２はポンプ内の異常を示す表示灯１２ａと電動機２の点検時期及び交換時期を示す表示灯１２ｂと故障及び不具合を示す表示灯１２ｃから構成されている。設定手段１３は基準電流値を設定する設定パネル１３ａと積算時間を設定する設定パネル１３ｂから構成されている。
【００２１】
また、解除手段１４により、表示灯１２が点灯した際や、設定を変更する際にリセットすることができる。
【００２２】
上記構成において、その動作および作用について詳しく説明する。
【００２３】
図３において、比較手段１０は設定手段１３により設定された基準電流値と電動機２に現在入力されている電流（以下、測定電流値とする）を認識している。
【００２４】
例えば、ポンプ装置内のプロペラに異物等が絡まり、測定電流値が上昇した場合、測定電流値が基準電流値を越えた時点で、比較手段１０は計測手段１１に出力信号を送り、この計測手段１１は時間を計測し始める。異物等がプロペラを通過すると、計測電流値は元の電流値に戻り、戻った時点で比較手段１０は計測手段１１へ出力信号を送るのをやめる。計測手段１１は出力信号が送られてきてからこなくなるまでの時間を計測時間Ａとして記憶しておく。
【００２５】
さらにポンプ装置内のプロペラに異物等が絡まり、測定電流値が上昇すると、比較手段１０は同様の動作を行なうが、計測手段１１は前回までの計測時間Ａに新たな計測時間Ｂを積算していくようにする。
【００２６】
ポンプ装置内のプロペラに異物等が絡まり、測定電流値が基準電流値を越えた時間の積算時間（Ａ＋Ｂ＋Ｃ・・・）が積算時間の基準値（ここでは６０秒とした）を越えた場合、計測手段１１は表示灯１２に出力信号を送り、表示灯１２を点灯させる。
【００２７】
図４において、電動機２は消耗により、徐々に入力される電流値が増加される。このような場合も測定電流値が基準電流値を越えた時点から比較手段１０は計測手段１１に出力信号を送り、６０秒を経過した後、計測手段１１は表示灯１２に出力信号を送り、表示灯１２を点灯させる。
【００２８】
図５を用いて表示灯１２の点灯の仕方について詳しく説明する。
【００２９】
ポンプ装置内のプロペラに異物等が絡まり、測定電流値が急激な上昇を繰り返す場合、プロペラの異物が通過した後は、測定電流値はプロペラに異物が絡まる前の値に戻っていることが多い。この場合、図５（ａ）に示すように、表示手段９の測定電流値を示す針９ａは基準電流値を示す針９ｂよりも左側を指している。
【００３０】
このような状態で測定電流値が基準電流値を越えた時間の積算時間が６０秒を越えた場合は、表示灯１２のうち左側の表示灯１２ａを点灯させるようにする。
【００３１】
つまり、図３のように測定電流値が複数回にわたり基準電流値を越え、積算時間が６０秒を越えると表示灯１２ａを点灯させる。これにより、排水ポンプ装置の点検者は、ポンプ装置内に異常が発生していることを知ることができる。
【００３２】
電動機２の消耗により徐々に入力される電流値が増加し、図４のように測定電流値が基準電流値を連続的に越える場合は、図５（ｂ）に示すように、表示手段９の測定電流値を示す針９ａは基準電流値を示す針９ｂと定格電流値を示す針９ｃの間を指している。
【００３３】
このような状態で測定電流値が基準電流値を越えた連続時間が６０秒を越えた場合は、表示灯１２のうち真ん中の表示灯１２ｂを点灯させるようにする。これにより、排水ポンプ装置の点検者は、電動機２の消耗具合を知ることができ、電動機２の点検時期及び交換時期を知ることができる。
【００３４】
電動機２が故障を起こし電流値が大きく増加し、測定電流値が定格電流値を越える場合、図５（ｃ）に示すように、表示手段９の測定電流値を示す針９ａは定格電流値を示す針９ｃの右側を指している。
【００３５】
このような状態で測定電流値が基準電流値を越えた時間の積算時間が６０秒を越えた場合は、表示灯１２のうち右側の表示灯１２ｃを点灯させるようにする。これにより、排水ポンプ装置の点検者は、電動機２の故障および不具合を知ることができ、電動機２を交換する等の対応を取ることができる。
【００３６】
本実施例１によれば、排水ポンプ装置の点検者は、ポンプ装置内の異常、電動機２の点検時期、交換時期、故障および不具合を知ることができる。これにより、点検者はそれぞれに応じた対応をとることができるため、排水ポンプ装置を常に正しい運転状態に保持することできる。
【００３７】
また、本実施例１においては、定格電流値及び基準電流値を任意に設定することができるので、排水ポンプ内の電動機に変更があった場合でも対応することができる。これにより、電流計の交換の手間が省ける。
【００３８】
さらに、本実施例１では、定格電流値とは別に基準電流値を設定することにより、電動機が故障する前に電動機を交換する時期が分かる。これにより、排水ポンプ装置を常に正しい運転状態を保持することができる。
【００３９】
なお、表示灯１２のランプの色を左から順番にオレンジ、緑、赤等と色分けすることにより、ポンプ装置内の異常、電動機２の点検時期、交換時期、故障および不具合を視覚的により認知しやすくなる。
【００４０】
また、表示手段９はデジタル表示としても、測定電流値、基準電流値、定格電流値を示すことにより、同様の効果が得られる。
【００４１】
さらに、表示手段９は上下水道設備の中央管制室等と連動することにより、中央管制室等にいる点検者に、ポンプ装置内の異常、電動機２の点検時期、交換時期、故障および不具合を知らせることも可能である。
【００４２】
（実施例２）
図６に示すように、電流表示計８の回路内に警報手段１５を設け、表示灯１２と連動させることにより、点検者への警告を促すことができる。
【００４３】
本実施例２によれば、点検者が離れた場所にいる場合や、目の不自由な方であったとしても、ポンプ装置内の異常、電動機２の点検時期、交換時期、故障および不具合を知ることができる。
【００４４】
なお、図６において、警報手段１５の設置のみで実施例１と形態が異なるため、回路動作詳細説明及び実施例１で述べた作用の説明は省略する（実施例３以降でも同様とする）。
【００４５】
（実施例３）
本実施例３では実施例１における表示灯１２が図７に示すように、単独となっている。
【００４６】
以下、本実施例３における表示灯１２の点灯の仕方について詳しく説明する。
【００４７】
ポンプ装置内のプロペラに異物等が絡まり、測定電流値が急激な上昇を繰り返す場合、プロペラの異物が通過した後は、測定電流値はプロペラに異物が絡まる前の値に戻っていることが多い。この場合、図５（ａ）に示すように、表示手段９の測定電流値を示す針９ａは基準電流値を示す針９ｂよりも左側を指している。
【００４８】
このような状態で測定電流値が基準電流値を越えた時間の積算時間が６０秒を越えた場合は、表示灯１２をオレンジ色に点灯させるようにする。これにより、排水ポンプ装置の点検者は、ポンプ装置内に異常が発生していることを知ることができる。
【００４９】
電動機２の消耗により徐々に入力される電流値が増加し、測定電流値が基準電流値を連続的に越える場合、図５（ｂ）に示すように、表示手段９の測定電流値を示す針９ａは基準電流値を示す針９ｂと定格電流値を示す針９ｃの間を指している。
【００５０】
このような状態で測定電流値が基準電流値を越えた時間が６０秒を越えた場合は、表示灯１２を緑色に点灯させるようにする。これにより、排水ポンプ装置の点検者は、電動機２の消耗具合を知ることができ、電動機２の点検時期及び交換時期を知ることができる。
【００５１】
電動機２が故障を起こし電流値が大きく増加し、測定電流値が定格電流値を越える場合、図５（ｃ）に示すように、表示手段９の測定電流値を示す針９ａは定格電流値を示す針９ｃの右側を指している。
【００５２】
このような状態で測定電流値が基準電流値を越えた時間の積算時間が６０秒を越えた場合は、表示灯１２を赤色に点灯させるようにする。これにより、排水ポンプ装置の点検者は、電動機２の故障および不具合を知ることができ、電動機２を交換する等の対応を取ることができる。
【００５３】
本実施例３によれば、表示灯１２を単独とすることにより、電流表示計８の低コスト化、省スペース化を実現することができる。これにより、本実施例１における電流表示計の置くスペースが限られた場合でも、本願の電流表示計を置くことができる。
【００５４】
（実施例４）
図８に示すように、電流表示計８の回路外に電動機起動時除外器１６を設けることにより、比較手段１０は起動時に発生する大電流を無視することができる。
【００５５】
本実施例４によれば、比較手段１０は余計な電流値を認識しなくてすむため、本実施例１における電流表示計を用いる際、点検者は、ポンプ装置内の異常、電動機２の点検時期、交換時期、故障および不具合を誤って認識せずにすむこととなる。
【産業上の利用可能性】
【００５６】
以上のように、本発明にかかる排水ポンプ装置用の電流表示計は、電流計による監視が必要な電動機を用いた産業機器等にも適用できる。
【図面の簡単な説明】
【００５７】
【図１】本発明の実施例１における排水ポンプ装置用電流表示計のブロック図
【図２】本発明の実施例１における排水ポンプ装置用電流表示計の正面図
【図３】本発明の実施例１における排水ポンプ装置用電流表示計の比較手段の動作図
【図４】本発明の実施例１における排水ポンプ装置用電流表示計の比較手段の動作図
【図５】本発明の実施例１における排水ポンプ装置用電流表示計の動作説明図
【図６】本発明の実施例２における排水ポンプ装置用電流表示計のブロック図
【図７】本発明の実施例３における排水ポンプ装置用電流表示計の正面図
【図８】本発明の実施例４における排水ポンプ装置用電流表示計のブロック図
【符号の説明】
【００５８】
１  排水ポンプ装置本体
２  電動機
６  検出手段
７  変換機
９  表示手段
１０  比較手段
１１  計測手段
１２  表示灯
１３  設定手段
【図１】
2005214062.tif 000003
【図２】
2005214062.tif 000004
【図３】
2005214062.tif 000005
【図４】
2005214062.tif 000006
【図５】
2005214062.tif 000007
【図６】
2005214062.tif 000008
【図７】
2005214062.tif 000009
【図８】
2005214062.tif 000010